(57)【要約】      （修正有）【課題】限りなく薄型にしてマット状或いはシート状の薄物の敷物などの層内に容易に設置することのできる上に、意識・無意識に係わりなく軽いタッチで感度よくスイッチングできる扁平型スイッチを提供する。【解決手段】本願スイッチ１は、梯子状の絶縁体２の横杆２′にバネ弾性を有する導電板３を平織状に浮沈させるように通した第１部材４と、額縁状の枠体５の内底面に導電板６を敷設した第２部材７とを導電板３、６同士を対面させるように重ねてなり、額縁状の枠体５の周囲の額縁部５′の厚みをスペーサとして利用して平時には対面する導電板同士を確実に離反させ、閉成時の感度を良好に確保するため第１部材の導電板を多点にて第２部材の導電板に対峙できるように構成した。【選択図】図１
0003114413.tif 000002
【実用新案登録請求の範囲】
【請求項１】
梯子状の絶縁体の横杆にバネ弾性を有する導電板を平織状に浮沈させるように通した第１部材と、額縁状の枠体の内底面に導電板を敷設した第２部材とを導電板同士を対面させるように重ねたことを特徴とする扁平型スイッチ。
【考案の詳細な説明】
【技術分野】
【０００１】
本考案は、マット状或いはシート状の薄物の敷物などの層内に設置し、その敷物などに乗るか、触れると感度良くブザーや表示板などの電源回路を閉成できる扁平型スイッチに関するものである。
【背景技術】
【０００２】
従来の扁平型スイッチを、図４及び図５に示す。前者（特開２００３−１８７７７６）は、扁平な筐体４１の内部にベース部材４２を有し、そのベース部材４２の上面中央に一つの共通固定接点４３と、その周辺に環状に離間して複数個の個別固定接点４４を設け、前記共通固定接点４３及び個別固定接点４４の上方に、リング状部材４５を設け、該リング状部材４５を押すための傾動部材４６を設け、該傾動部材４６を傾動させつつ押し下げると、傾動側にある個別固定接点４４と共通固定接点４３とが接触子４７を介して閉成する多方向操作スイッチである。
【０００３】
後者（特開２００１−２１０１７３）は、導電板５２を備えた補強金具５１の上方に、その導電板５２に対向する導電板５３を備えたトップ部材５４とを、Ｘ形リンク機構５５を介して離間させて配置してなる薄型のスイッチである。
【特許文献１】特開２００３−１８７７７６
【特許文献２】特開２００１−２１０１７３
【考案の開示】
【考案が解決しようとする課題】
【０００４】
しかしながら、上記の前者（特開２００３−１８７７７６）のものは、扁平な筐体４１の厚さを一定以上に保たなければ、その上面に設けた傾動部材４６の傾動作動を確保できなかったために、全厚さを薄くすることには限界があった。また、後者（特開２００１−２１０１７３）のものは、Ｘ形リンク機構５５の機構を構成する各種の要素が要求されることから、前者のものと同様に全厚さを薄くすることには限界があり、マット状或いはシート状の薄物の敷物などの層内に設置することは困難であった。しかも、前者では傾動部材４６を、また、後者ではトップ部材５４を意識的にある程度強く押しさげなければ、スイッチ動作ができないという問題もあった。
【０００５】
本考案は上記の点に鑑み案出したもので、その目的とするところは、限りなく薄型にしてマット状或いはシート状の薄物の敷物などの層内に容易に設置することのできる上に、意識・無意識に係わりなく軽いタッチで感度よくスイッチングできる扁平型スイッチを提供することにある。
【課題を解決するための手段】
【０００６】
上記目的を達成するため、本考案に係る扁平型スイッチは、梯子状の絶縁体の横杆にバネ弾性を有する導電板を平織状に浮沈させるように通した第１部材と、額縁状の枠体の内底面に導電板を敷設した第２部材とを導電板同士を対面させるように重ねてなり、額縁状の枠体の周囲の額縁部の厚みをスペーサとして利用して平時には対面する導電板同士を確実に離反させ、閉成時の感度を良好に確保するため第１部材の導電板を多点にて第２部材の導電板に対峙できるように構成した。
【考案の効果】
【０００７】
本考案によれば、梯子状の絶縁体の横杆にバネ弾性を有する導電板を平織状に浮沈させるように通した第１部材と、額縁状の枠体の内底面に導電板を敷設した第２部材とを導電板同士を対面させるように重ねてなることを特徴としているから、第１部材を構成する梯子状の絶縁体は弾性を有するプラスチック材で薄く形成でき、しかも、導電板はその横杆に平織状にバネ作用で緊張して通されているために第２部材を含め、全厚を極めて薄く保てることからマット状或いはシート状の薄物の敷物などの層内に容易に設置することができるという効果を奏する。しかも、該第１部材と第２部材の導電板同士は、第１部材の梯子状の絶縁体の形態維持性、その絶縁体の横杆にバネ力により絡んでいる導電板の緊張性及び前記第２部材の周囲の額縁部の厚さをスペーサとすることから平時には確実に離間される。さらに、本考案によれば、第１部材の導電板は梯子状の絶縁体の横杆の下を潜っている個所が多点となって第２部材に敷設した導電板と対峙しているため、第１部材側或いは第２部材側を軽く押え込むだけで、感度よくスイッチングできるという優れた効果を奏するものである。
【考案を実施するための最良の形態】
【０００８】
次に、本考案の実施形態を図面に基づいて説明する。図１は本願スイッチを分解した一部切欠斜視図、図２は本願スイッチの断面図、図３は使用状態を示す説明図である。
【０００９】
本願スイッチ１は、図１の如く、梯子状の絶縁体２の横杆２′にバネ弾性を有する導電板３を平織状に浮沈させるように通してなる第１部材４と、額縁状の枠体５の内底面に導電板６を敷設した第２部材７とを、両導電板３、６を対面させるように重ねてなる。
【００１０】
前記梯子状の絶縁体２としては、弾性を有するプラスチック材を使用して満足できる。そのプラスチック材のうち、特に、粘弾性の高いアクリル樹脂を用いると可及的に薄くしても形態維持性が確保できる点でより好ましい。
【００１１】
前記第１部材４を構成するバネ弾性を有する導電板３としては、具体的にはゼンマイなどに利用される０．１〜０．８ｍｍ厚程度の鋼材を利用するとよい。すなわち、バネ弾性を有する導電板３は、その保有するバネ力により前記梯子状の絶縁体２の横杆２′と平織状に絡むときに一定の緊張力が働き、第１部材４の厚みを薄く保つことができ、本願スイッチ１の全厚が極めて薄く保つことができるようになる。一方、第２部材７を構成する導電板６は、第１部材の如きバネ弾性は特に要求されないが、第１部材４と同じ鋼材を利用することは自由である。
【００１２】
前記梯子状の絶縁体２の横杆２′と平織状に浮沈して絡むバネ弾性を有する導電板３のバネ力は、該導電板３の両端部３′、３″を、前記絶縁体２の両端部に固定（接着剤接着その他の手段）した固定板８との間に挟み込むことにより導電板３の中央部分を緊張させるために働く。換言すれば、バネ弾性を有する導電板３の中央部分のうち、特に、前記絶縁体２の横杆２′の下を回る部分（第２部材７の導電板６に多点で対面する部分）の弛みをよく規制して接触・非接触作動を確実にする。
【００１３】
前記梯子状の絶縁体２の横杆２′は、プラスチックシート材を単純に梯子状に打ち抜いて形成してもよいが、バネ弾性を有する導電板３が下に回る横杆（符号Ａで示す）２′については、図１の如く、絶縁体２の肉厚分だけ高い位置にすると、平織状に浮沈させて通したバネ弾性を有する導電板３の浮沈量が小さくなり、全厚をより薄くする上において好ましいものである。
【００１４】
前記第２部材７を構成する額縁状の枠体５は、厚紙やプラスチック材等の柔軟な絶縁素材よりなる。また、枠体５の周囲の額縁部５′はその厚みＢが、該第２部材７の導電板６と前記第１部材４の導電板３との間隔Ｃを平時において確実に離反維持させるためのスペーサとしての役割を果たすものである。このスペーサとなる額縁部５′の厚みＢはスイッチングの感度との関係を考慮して決定されるが、具体的には０．５ｍｍ〜２ｍｍ厚程度、好ましくは、１．２ｍｍ厚程度あればよい。
【００１５】
このように、前記該第１部材４と第２部材７の導電板同士は、第１部材４の梯子状の絶縁体２自体の形態維持性、その絶縁体２の横杆２′にバネ力により絡んでいる導電板３の緊張性及び前記第２部材７の周囲の額縁部５′の厚さＢをスペーサとして平時において確実に離間されるようになっている。
【００１６】
前記本願スイッチ１は、第１部材４が弾性を有するプラスチック材で薄く形成できる梯子状の絶縁体２と、その横杆２′にバネ力を利用して平織状に緊張して通された導電板３とにより構成されているため、第２部材７の厚みを含めても全厚が極めて薄く保たれることから、図２の如く、マット状或いはシート状の薄物の敷物９などの層内に容易に設置することができる。しかも、本願スイッチ１は、その敷物９の層内に面方向に広く分布するように複数個並列設置したときは、敷物のどこの個所を人が踏んでもスイッチングできるようになる。
【００１７】
また、前記第２部材４は額縁状の枠体５が柔軟性と撓み性を備える上に、第１部材４を構成する梯子状の絶縁体２も変形自由であることから、本願スイッチ１は第１部材４側或いは第２部材７側のいずれの方からの押圧によっても導電板３、６同士を感度よく接触させることができる。
【００１８】
図２は、第１部材４の導電板３と、第２部材７の導電板６から引出したリード線１０ａ及び１０ｂを、電源１１に接続されたブザー１２の電源回路を断続するために適用されているものであり、敷物９に人が乗ったときにブザー１２が即時に鳴るように構成しているものである。
【００１９】
また、図３は、本願スイッチ１の利用形態の一つを示すものである。たとえば、病院内の患者（被介護人を含む）ａ〜ｆの行動パターンを管理するため、ベッド１３の下床或いはトイレ１４の入口付近に、本願スイッチ１を内蔵（設置）したマット状の敷物９を設置し、ナースステーションに設置した表示板１５に、患者がベッドから降りたこと、及びトイレの入口に行ったことをナースステーションの表示板に表示できるようにしている。
【００２０】
すなわち、ベッド１３に横臥している筈の患者が、当該ベッド１３から降りたことをナースステーションにおいていち早く知ることは、その患者の事故防止のために特に重要である。また、患者によっては、トイレ１４に行っても、入るか入らないかをドアの手前で迷って立ち尽くす例もあり、そのような場合をナースステーションにおいていち早く気付いて対応してやることがその患者のために重要である。
【００２１】
本願スイッチ１は、上記のような使用例のほか、家や会社の玄関マットに内蔵させ、訪問者がチャクムを鳴らす前に、その客を映像でキャッチするためのビデオカメラの作動スイッチとして応用することが可能である。
【００２２】
また、本願スイッチ１は、薄肉に構成できるため、患者の手が届き易いベッドの枠に貼り付けておき、患者がベッドの枠に軽く手を触れただけでナースコールができるナースコール用スイッチとして使用することも可能である。
【００２３】
さらに、本願スイッチ１は、薄肉に構成できるため老人の杖や目の不自由な人の杖などの先部周辺に貼り付ければ、狭い通路や階段を通るときに、杖に内蔵した発音手段（音や音声など）を鳴らすように利用するガイドスイッチとして利用することも可能である。
【産業上の利用可能性】
【００２４】
本願スイッチ１は、第１部材４を構成する梯子状の絶縁体２の横杆２′に平織状に通されたバネ弾性を有する導電板３と、第２部材７を構成する額縁状の枠体５の内底部に敷設した導電板６とを、平時は離間させ、第１部材４側或いは第２部材７側のいずれの方からでも軽く押圧するだけで、ブザーその他の電源回路を感度よく閉成できる有効なものである。しかも、本願スイッチ１は、極めて薄く形成できるため、マット状或いはシート状の薄物の敷物などの層内に容易に設置することができ、その応用性は高いものである。
【図面の簡単な説明】
【００２５】
【図１】本願スイッチを分解した一部切欠斜視図である。
【図２】本願スイッチの断面図である。
【図３】本願スイッチの使用状態を示す説明図である。
【図４】従来の扁平筐体型スイッチの断面図である。
【図５】従来の薄型スイッチの断面図である。
【符号の説明】
【００２６】
１  本願スイッチ
２  梯子状の絶縁体
２′  横杆
３  バネ弾性を有する導電板
４  第１部材
５  額縁状の枠体
６  導電板
７  第２部材
３′、３″  導電板の両端部
８  固定板
９  敷物
１０ａ、１０ｂ  リード線
１１  電源
１２  ブザー
１３  ベッド
１４  トイレ
１５  表示板
【図１】
0003114413.tif 000003
【図２】
0003114413.tif 000004
【図３】
0003114413.tif 000005
【図４】
0003114413.tif 000006
【図５】
0003114413.tif 000007